(57)【要約】【課題】  所望する適切な印刷物が得られるプリンタシステムを提供する。【解決手段】  ホスト１とプリンタ２から構成され、ホスト１で作成された印刷データを指定のプリンタ２で出力するプリンタシステムにおいて、ホスト１はプリンタ２の情報を取得し、表示部１２に取得したプリンタ情報を表示する。【選択図】        図１
2005262623.tif 000002
【特許請求の範囲】
【請求項１】
プリンタドライバと表示部とを有するホスト装置と、前記プリンタドライバの指示に基づいて画像を形成するプリンタ装置とを備え、前記ホスト装置で作成された印刷データを指定のプリンタ装置により印刷画像を出力するプリンタシステムであって、
前記ホスト装置は前記プリンタ装置から印刷処理情報を取得し、当該ホスト装置の表示部に前記印刷処理情報を表示すると共に、該印刷処理情報を変更可能とすることを特徴とするプリンタシステム。
【請求項２】
前記印刷処理情報は、当該印刷処理情報を転送したプリンタ装置が備える用紙サイズ情報と印刷データサイズ情報であることを特徴とする請求項１記載のプリンタシステム。
【請求項３】
前記プリンタ装置は、前記ホスト装置から送信された印刷データに基づいて自動トレイ選択を行う場合、前記印刷データに最も近い用紙サイズを選択して印刷を行うことを特徴とする請求項１記載のプリンタシステム。
【請求項４】
前記プリンタ装置は、前記ホスト装置から送信された印刷データに基づいて変倍を行う場合、前記印刷データが用紙に収まるように変倍を行うことを特徴とする請求項１記載のプリンタシステム。
【請求項５】
前記プリンタ装置は、前記ホスト装置に印刷可否情報を送信すると共に、この時点で選択された用紙を変更せず前記ホスト装置側から変倍率を再設定可能としたことを特徴とする請求項１記載のプリンタシステム。
【請求項６】
前記ホスト装置は、該ホスト装置の表示部に印刷画像をプレビュー表示し、該プレビュー表示情報に基づいて印刷データ範囲を移動可能としたことを特徴とする請求項１記載のプリンタシステム。
【発明の詳細な説明】
【技術分野】
【０００１】
本発明は、ホストとプリンタから構成され、ホストで作成された印刷データを指定のプリンタで出力するプリンタシステムに関する。
【背景技術】
【０００２】
プリンタ装置では、描画データを自動的に拡大縮小し、用紙に収まるように印刷を行う技術が従来から採用されている。
例えば、特許文献１には、原稿から読み取った画像と等しいサイズの出力用紙が存在しない場合においても、画像に最も近いサイズの出力用紙、あるいは画像の整数倍のサイズを有する出力用紙を選択することによって、自動的に印刷を継続する画像形成装置が提案されている。
【特許文献１】特開２００１−３０９１１５公報
【発明の開示】
【発明が解決しようとする課題】
【０００３】
しかしながら、特許文献１に開示されている従来技術は、本来等倍で印刷を行いたいデータ、例えば図面のような精度が必須となるデータに対しても拡大縮小が行われてしまい、適切な印刷物が得られない場合が生じる。また、仮に等倍印刷を実行したとしても１サイズ大きいまたは小さい用紙サイズで印刷することで、余白が大きくなったりデータ切れとなる不都合が生じる。
本発明は、ホスト側にプリンタの印刷処理情報を転送することにより、ホスト側から印刷処理情報を制御可能として、所望する適切な印刷物が得られるプリンタシステムを提供することを目的とする。
【課題を解決するための手段】
【０００４】
上記目的を達成するために、請求項１記載の発明は、プリンタドライバと表示部とを有するホスト装置と、前記プリンタドライバの指示に基づいて画像を形成するプリンタ装置とを備え、前記ホスト装置で作成された印刷データを指定のプリンタ装置により印刷画像を出力するプリンタシステムであって、前記ホスト装置は前記プリンタ装置から所定の情報を取得し、当該ホスト装置の表示部に前記所定の情報を表示すると共に、該所定の情報を変更可能とすることを特徴とする。
請求項２記載の発明は、前記所定の情報は、当該所定の情報を転送したプリンタ装置が備える用紙サイズ情報と印刷データサイズ情報であることを特徴とする。
請求項３記載の発明は、前記プリンタ装置は、前記ホスト装置から送信された印刷データに基づいて自動トレイ選択を行う場合、前記印刷データに最も近い用紙サイズを選択して印刷を行うことを特徴とする。
請求項４記載の発明は、前記プリンタ装置は、前記ホスト装置から送信された印刷データに基づいて変倍を行う場合、前記印刷データが用紙に収まるように変倍を行うことを特徴とする。
請求項５記載の発明は、前記プリンタ装置は、前記ホスト装置に印刷可否情報を送信すると共に、この時点で選択された用紙を変更せず前記ホスト装置側から変倍率を再設定可能としたことを特徴とする。
請求項６記載の発明は、前記ホスト装置は、該ホスト装置の表示部に印刷画像をプレビュー表示し、該プレビュー表示情報に基づいて印刷データ範囲を移動可能としたことを特徴とする。
【発明の効果】
【０００５】
本発明においては、ホストとプリンタから構成され、ホストで作成された印刷データを指定のプリンタで出力するプリンタシステムにおいて、ホストはプリンタの情報を取得し、表示部に取得したプリンタ情報を表示するようになっているので、ユーザーはその表示内容を確認して、最も適切な印刷設定を行うことができる。
【発明を実施するための最良の形態】
【０００６】
以下、図面を参照して本発明の実施形態を詳細に説明する。
図１は本発明のプリンタシステムのブロック図である。本プリンタシステムは、ホスト１とプリンタ２から構成され、ホスト１で作成された印刷データを指定のプリンタ２で出力するようになっている。
ホスト１は、プリンタ２を動作するためのアプリケーションソフトにより構成されるプリンタドライバ１１と、操作に必要な内容と取得したプリンタ情報を表示する表示部１２と、プリンタ２とのインターフェースを行う入出力ポート１３を有する。プリンタ２は、ページ単位のデータを記憶するページバッファ２１と、プリンタ全体を制御するＣＰＵ２２と、画像データに基づいて用紙に画像を印刷する画像形成部２３とを有する。
そしてホスト１のプリンタドライバ１１は、プリンタ２の情報を取得し、表示部１２に取得したプリンタ情報を表示する。ここでプリンタ情報とは、用紙サイズ情報と印刷データサイズ情報である。
図２は本発明のプリンタシステムにおける制御フローチャートである。プリンタ２は、用紙サイズ情報と印刷データサイズ情報を取得し（Ｓ１、Ｓ２）、ホスト１に転送する（Ｓ３）。ホスト１の表示部１２でその情報を表示し（Ｓ９）、用紙サイズを変更するのであれば（Ｓ４でＹＥＳのルート）用紙サイズを変更し（Ｓ１０）、変倍設定が必要であれば（Ｓ５でＹＥＳのルート）変倍設定する（Ｓ１１）。そして印刷設定内容をプレビュー表示して（Ｓ６）印刷実行可であれば（Ｓ７でＹＥＳのルート）プリンタ２で印刷する（Ｓ８）。ステップＳ７で印刷実行が不可であれば（Ｓ７でＮＯのルート）ステップＳ４に戻って設定をやり直す。
これにより、印刷データに対し自動トレイ選択を行う場合、数ｍｍ大きくても一つ上の用紙サイズを選択することなく一番近い用紙サイズを選択して印刷することができる。また上記システムにおいて、印刷画像データ情報を取得し、用紙に収まるように自動変倍を行うことができる。また、等倍または変倍した旨を表示し、プリンタ装置側での印刷実行可否を設定することができる。更に、ホスト上に印刷可否情報を送信すると共に、この時選択された用紙を変更せずホスト上から変倍率を再設定可能とし指定した通りの印刷結果を得ることができる。また、ホスト上でプレビュー表示することにより、データ切れ範囲を確認することができ、そのプレビュー表示情報を元に、印刷データ範囲を移動することが可能となる。
【図面の簡単な説明】
【０００７】
【図１】本発明のプリンタシステムのブロック図。
【図２】本発明のプリンタシステムにおける制御フローチャート。
【符号の説明】
【０００８】
１  ホスト
１２  表示部
２  プリンタ
【図１】
2005262623.tif 000003
【図２】
2005262623.tif 000004